(57)【特許請求の範囲】
【請求項１】
待機電力を遮断するための携帯電話充電装置であって、
ジャック内の所定位置に備えられ、前記携帯電話充電装置に供給される交流電流を遮断するために交流電源ケーブルの一つの接点と他の接点とを接触又は分離する待機電力遮断部と、
前記携帯電話充電装置の内部を流れる電流を測定し、前記測定された電流値と基準電流値とを比較して前記携帯電話充電装置内部に待機電力が発生するか否かを判断し、前記待機電力が感知されると、前記一つの接点が前記他の接点から分離するために前記待機電力遮断部に電力を供給する制御部と、
を含み、
前記待機電力遮断部は、
前記ジャックから外部に突出しており、携帯電話又は充電用バッテリーケースに前記ジャックが嵌合されると、前記ジャックの内部に入るノブスイッチと、
前記ノブスイッチによって一側方向に移動可能なカムアセンブリと、
前記カムアセンブリを磁力で引っ張って前記一つの接点と前記他の接点とを接触させるための磁石を有するコアと、
前記制御部から供給される電力を入力することによって前記磁石と斥力を発生し、前記一つの接点と前記他の接点とを分離させるためのソレノイドと、
を含むことを特徴とする携帯電話充電装置。
【請求項２】
前記待機電力遮断部は、
前記ノブスイッチによって回転可能であり、前記回転によって前記カムアセンブリを一側方向に移動させるレバーと、
前記回転により移動されたレバーが元の状態に戻るためのレバーバネと、
をさらに含むことを特徴とする請求項１に記載の携帯電話充電装置。
【請求項３】
前記カムアセンブリは、
前記レバーによって一側方向に移動するカムと、
前記一側方向に移動したカムが元の状態に戻るためのカムバネと、
前記カムと一体に形成され、前記一つの接点と前記他の接点とを接触させるストロークと、
前記カムと一体に形成されて前記磁石によって前記コアと嵌合するスライドと、
を含むことを特徴とする請求項２に記載の携帯電話充電装置。
【請求項４】
前記制御部は、
前記測定された電流値と前記基準電流値とを比較し、前記測定された電流値が前記基準電流値以下である場合には、前記携帯電話充電装置の内部に待機電力が発生すると判断することを特徴とする請求項１から３のいずれか一項に記載の携帯電話充電装置。
【発明の詳細な説明】
【技術分野】
【０００１】
本発明は携帯電話充電装置に関するもので、特に待機電力を遮断するための携帯電話充電装置に関する。
【背景技術】
【０００２】
電子産業の発達につれて、半導体を用いる電子製品の数が増加し、それによって電子製品の電源を遮断しても一定の待機電力を消費するようになる。この待機電力は、家庭及び会社で消費される電力の１１％〜１５％を占めている実情である。統計によると、消費される待機電力によって年間数千億ウォンの電力損失が発生すると知られている。
【０００３】
待機電力を低減させることによってエネルギーを節約し、電力生産によるＣＯ２の排出量を低減して環境汚染及び地球温暖化を遅らせることができる。そのため、世界各国は、待機電力を低減させるために待機電力の基準を設定し、業界と共同で待機電力を低減させるための技術開発に拍車をかけている。
【０００４】
待機電力を低減させるためには、マルチコンセントにスイッチを設置して電源をオン／オフする方法が使用される。しかしながら、この方法は、電源遮断の際に便利に使用できないため、大きな実用性を有するものではない。
【０００５】
特に、全世界的に携帯電話に対する需要が継続拡大していく傾向にある。携帯電話ユーザーは、通常、一日に一度以上携帯電話のバッテリーを充電する。携帯電話充電器を使用しないときにも電源コンセントに差し込んでいる状態で放置することが一般的である。したがって、携帯電話充電器の待機電力による電力浪費がますます増加することが予想される。既存の携帯電話充電器は、充電が完了した後に充電器をコンセントから抜かないと、この充電器自体による待機電力の消費が発生する。したがって、携帯電話充電装置が消費する待機電力を遮断するための方法が切実に要求される。
【発明の概要】
【発明が解決しようとする課題】
【０００６】
したがって、本発明は上述した従来技術の問題点に鑑みてなされたものであって、その目的は、携帯電話ユーザーに便宜性を提供すると同時に、携帯電話充電装置の内部で消費される電力を節約するための待機電力遮断用携帯電話充電装置を提供することにある。
【課題を解決するための手段】
【０００７】
上記のような目的を達成するために、本発明は、ジャック内の所定位置に備えられ、携帯電話充電装置に供給される交流電流を遮断するために交流電源ケーブルの一つの接点と他の接点とを接触又は分離する待機電力遮断部と、携帯電話充電装置の内部を流れる電流を測定し、測定された電流値と基準電流値とを比較して携帯電話充電装置内部に待機電力が発生するか否かを判断し、待機電力が感知されると、一つの接点を他の接点から分離するために待機電力遮断部に電力を供給する制御部と、を含む待機電力遮断用携帯電話充電装置を提供する。
【発明の効果】
【０００８】
上記のように動作する本発明は、次のような効果が得られる。
【０００９】
本発明は、携帯電話を充電する場合にのみ電力が供給され、携帯電話を充電器から分離し、あるいは携帯電話のバッテリーが完全に充電された状態で上記充電器へ入力される交流電流を完全に遮断するように構成することによって、従来の携帯電話充電器で消費される電力を節約することができる。
【００１０】
また、本発明は、待機電力を遮断するためにユーザーが煩わしく携帯電話充電器をコンセントから分離する必要がないため、ユーザーの便宜性を極大化させることができる。
【図面の簡単な説明】
【００１１】
【図１】一般的な携帯電話充電装置の構成を示す図である。
【図２】本発明の第１の実施形態による携帯電話充電装置の構成を示す図である。
【図３】本発明の第１の実施形態による携帯電話充電装置に接続される携帯電話を示す構成図である。
【図４】本発明の第１の実施形態による携帯電話充電装置の内部回路図である。
【図５】本発明の第２の実施形態による携帯電話充電装置の構成を示す図である。
【図６】本発明の第２の実施形態による携帯電話充電装置に接続される携帯電話を示す構成図である。
【図７】本発明の第２の実施形態による待機電力遮断部を示す構成図である。
【図８】本発明の第２の実施形態による待機電力遮断部の機械的動作を示す図である。
【図９】本発明の第２の実施形態による待機電力遮断部の機械的動作を示す図である。
【図１０】本発明の第２の実施形態による待機電力遮断部の機械的動作を示す図である。
【図１１】本発明の第２の実施形態による待機電力遮断部の機械的動作を示す図である。
【図１２】本発明の第２の実施形態による携帯電話充電装置の内部回路図である。
【発明を実施するための形態】
【００１２】
下記の説明では、本発明に関連した公知の機能又は構成に関する具体的な説明が本発明の要旨を不明にすると判断された場合に、その詳細な説明を省略する。また、後述する用語は、本発明の機能を考慮して定義されたものであって、ユーザー、運用者の意図、又は慣例によって変わることができる。したがって、上記用語は、本明細書の全体内容に基づいて定義されなければならない。
【００１３】
本発明は、待機電力を遮断するための携帯電話充電装置（又は携帯電話充電器）を提供する。後述する本発明の詳細な説明では、携帯電話充電装置に携帯電話を直接接続することを説明しているが、携帯電話充電装置に充電用バッテリーケースが接続できることは、当該技術分野における通常の知識を有する者には明らかである。
【００１４】
以下、本発明の望ましい実施形態を添付の図面を参照して詳細に説明する。
【００１５】
第１の実施形態
図１は、一般的な携帯電話充電装置の構成を示す。図１を参照すると、携帯電話充電装置１００は、大きく充電部１０１、プラグ１０３、電線１０５、及びジャック１０７を含む。
【００１６】
充電部は、充電部プリント回路基板（図示せず）を備える。この充電部プリント回路基板は、携帯電話充電装置のプラグ１０３を通じて入力される交流電流を充電用直流電流に変換する。
【００１７】
ジャックは、充電の際に携帯電話又は充電用バッテリーケースに接続する部分である。このジャックは、携帯電話ユーザーに携帯電話の充電状態を示すためのＬＥＤを含む。
【００１８】
図２は、本発明の一実施形態による携帯電話充電装置の構成図を示す。
【００１９】
図２を参照すると、携帯電話充電装置２００は、充電部２０１、プラグ２０５、電線２０７、及びジャック２０９を含む。充電部２０１は、充電部プリント回路基板２０３を含む。ジャック２０９は、ジャックプリント回路基板２１１、第１の接点２１３、第２の接点２１５、バネ２１７、ストローク２１９、コネクタ２２５、及びロック２２３を含む。
【００２０】
以下では、上記装置以外の携帯電話充電装置を構成する他の装置及びその動作において、本発明の内容に関係ない部分については、その説明を省略する。
【００２１】
ジャックプリント回路基板２１１、バネ２１７、及びストローク２１９はジャック２０９内の所定位置に備えられ、第１の接点２１３と第２の接点２１５とは、ジャックプリント回路基板（又はジャックＰＣＢ）２１１に位置する。ストローク２１９は、第１の接点２１３と第２の接点２１５とを接触又は分離させる役割を遂行する。第１の接点２１３と第２の接点２１５とが接触する場合、交流電流は携帯電話充電装置の内部に供給される。第１の接点２１３と第２の接点２１５とが分離される場合には、交流電流の携帯電話充電装置の内部への供給が遮断される。
【００２２】
ストローク２１９は、コネクタ２２５の左側上端に位置することを示しているが、ジャック２０９内の他の位置にも設置できることは当該技術分野における通常の知識を持つ者には明らかである。例えば、ストローク２１９は、コネクタ２２５に設置することができる。
【００２３】
図３は、本発明の一実施形態によって携帯電話３００が携帯電話充電装置２００に接続される構成を示す。図３を参照して、本発明による携帯電話充電装置に対する機械的動作を、次に詳細に説明する。
【００２４】
携帯電話充電装置２００が携帯電話３００又は充電用バッテリーケース（図示せず）に接続されていない場合、すなわち携帯電話充電装置が使用されない場合には、携帯電話充電装置の第１の接点２１３と第２の接点２１５とは分離されている。
【００２５】
携帯電話充電装置２００が携帯電話３００に接続されると、携帯電話に嵌合されるジャック２０９の一断面から突出したストローク２１９は、携帯電話３００の一側面により押し込まれる。すると、バネ２１７が縮み、ストローク２１９は、第２の接点２１５を押して第１の接点２１３に接触させる。携帯電話充電装置２００は、ジャック２０９が携帯電話３００の充電端子に完全に接続されると、ロック２２３によって携帯電話３００に固定される。
【００２６】
ジャックプリント回路基板２１１の第１の接点２１３と第２の接点２１５とが接触すると、ジャックプリント回路基板２１１の端子Ｅ、Ｆは、ケーブルによって充電部プリント回路基板２０３の端子ｅ、ｆに接続され、電力は携帯電話充電装置２００に供給される。
【００２７】
図４は、本発明の一実施形態による携帯電話充電装置の内部回路を示す。図４を参照して、本発明による携帯電話充電装置の電気的動作を詳細に説明する。
【００２８】
充電部プリント回路基板２０３は、ジャックプリント回路基板２１１に電気的に連結され、整流部（rectifier）と制御部とを含む。制御部としては、例えばマイコン（microcomputer）Ｕ１が使用されることができる。
【００２９】
整流部は、整流ブリッジＢＲ１とキャパシタＣ１とで構成され、携帯電話充電装置のコンセントを通じて供給された交流電流を直流電流に整流する役割を遂行する。
【００３０】
整流部を通過した直流電流は、変圧器Ｔ１に供給される。このとき、マイコンＵ１は、トランジスタＱ１のターンオン周期を制御して変圧器Ｔ１の２次電圧を制御する。変圧器Ｔ１によって誘導された２次電圧は、ダイオードＤ１とキャパシタＣ２を含む整流部及び平滑部を通じて充電用電圧に整流及び平滑化される。その後に、充電用電圧は、端子Ａ−ａと端子Ｂ−ｂを介してジャックプリント回路基板２１１に供給され、携帯電話３００の充電用端子に供給される。
【００３１】
携帯電話バッテリーが充電中であるとき、マイコンＵ１は、出力ポートＯ１を‘ハイ’にしてジャックプリント回路基板２１１のＬＥＤ２を点灯して充電中であることを表示する。このとき、充電用プリント回路基板の出力ポートＯ１は端子ｃに接続され、端子ｃは、ジャックプリント回路基板の端子Ｃを通じてＬＥＤ２に接続される。
【００３２】
また、マイコンＵ１は、充電状態と充電電圧とを制御するために、抵抗Ｒ１と抵抗Ｒ２とに分圧された電圧をアナログ／デジタルコンバータＡＤ１で測定する。マイコンＵ１は、アナログ／デジタルコンバータで測定された電圧を用いてトランジスタＱ１のターンオン周期を制御し、それによって充電電圧を制御する。
【００３３】
携帯電話バッテリーの充電が完了すると、マイコンＵ２は、出力ポートＯ１を‘ロウ’にして出力する。また、マイコンＵ２は、出力ポートＯ２を‘ハイ’に出力してジャックプリント回路基板２１１のＬＥＤ１を点灯し、ＬＥＤ２を消灯して充電完了を表示するように制御する。充電用プリント回路基板の出力ポートＯ２は、端子ｄと接続され、端子ｄは、ジャックプリント回路基板の端子Ｄを通じてＬＥＤ１に接続される。
【００３４】
携帯電話バッテリーの充電が完了した後に、ジャック２０９を携帯電話３００から容易に分離するために備えられるロッキングノブ２２１を押すと、ロック２２３が共に押されてジャックと携帯電話とが分離される。携帯電話３００とジャック２０９とが分離されると、バネ２１７が元の通りに復帰し、それによってストローク２１９が元の位置に戻る。ストローク２１９が元の位置に戻ると、第１の接点２１３と第２の接点２１５とは、図２に示したように分離される。第１の接点２１３と第２の接点２１５とが分離されると、ジャックプリント回路基板２１１の端子Ｅ、Ｆと充電部プリント回路基板２０３の端子ｅ、ｆとの接続が切断される。すなわち、端子Ｅと端子Ｆとの間の接続が切断されることによって、充電部プリント回路基板に供給される交流電流が遮断される。そのため、携帯電話充電装置への電力供給が遮断される。携帯電話充電装置を使用しない場合には、携帯電話充電装置で消費される待機電力は、自動的に遮断される。
【００３５】
したがって、本発明は、携帯電話充電の際にのみ電力を供給し、携帯電話又は充電用バッテリーケースを充電器から分離した場合に、この充電器に入力される電力を完全に遮断するように構成することで、従来の携帯電話充電装置で消費される待機電力を効率的に遮断することができる。
【００３６】
第２の実施形態
本発明の他の実施形態では、携帯電話が携帯電話充電装置から分離される場合、あるいは携帯電話のバッテリーが完全に充電された場合に、携帯電話充電装置で消費される待機電力を効率的に遮断するための装置を提供する。
【００３７】
図５は、本発明の他の実施形態による携帯電話充電装置の構成を示す。
【００３８】
図５を参照すると、携帯電話充電装置５００は、充電部５０１、プラグ５０５、ケーブル５０７、及びジャック５０９を含む。充電部５０１は、充電部プリント回路基板５０３を含む。ジャック５０９は、ジャックプリント回路基板５１１、待機電力遮断部５１５、及びロッキングノブ５１７を含む。
【００３９】
ここで、本発明の内容に関連しない携帯電話充電装置を構成する他の装置及びその動作については、その説明を省略する。
【００４０】
図６は、本発明の他の実施形態によって携帯電話充電装置に携帯電話を接続する構成を示す。
【００４１】
図６を参照すると、ノブ又はノブスイッチ５１３は、ジャック５０９のヘッド部に位置し、ジャックの外部に突出している。携帯電話充電装置のジャック５０９が携帯電話３００又は充電用バッテリーケースに接続される場合、ジャックのノブ５１３は、内側に押し込まれる。その反面、携帯電話が分離される場合には、ジャックのノブ５１３は、ノブバネ５２１によって元の状態に戻る。
【００４２】
図７は、本発明の他の実施形態による待機電力遮断部５１５の構成を示す。
【００４３】
図７を参照すると、待機電力遮断部５１５は、ノブ５１３、ノブバネ５２１、レバー５２３、レバーバネ５２５、ソレノイドコイル端子５２６、第１の接点５２７、第２の接点５２９、コア５３１、磁石５３３、ソレノイドコイル５２８、ストローク５３５、カム５４１、スライド５３９、カムバネ５３７、及び充電表示部５１９を含む。ここで、カム５４１、スライド５３９、ストローク５３５、及び充電表示部５１９は、一体で構成されず、別々に構成され得る。しかしながら、本発明の実施形態では、これらが一体で構成されることを例示し、一体に形成されたカム５４１、スライド５３９、ストローク５３５、カムバネ５３７、及び充電表示部５１９をカムアセンブリと称する。
【００４４】
待機電力遮断部５１５は、携帯電話充電装置に供給される交流電流を遮断するためのスイッチの役割を遂行する。すなわち、携帯電話充電装置に携帯電話３００を接続すると、待機電力遮断部５１５は、充電装置の内部に交流電流を供給する。一方、携帯電話が完全に充電され、あるいは充電途中で携帯電話が分離される場合には、待機電力遮断部５１５は、充電装置の内部に流れる交流電流を自動的に遮断する。
【００４５】
以下、図８乃至図１１を参照して、本発明による待機電力遮断部５１５の機械的動作について詳細に説明する。
【００４６】
図８を参照すると、携帯電話３００又は充電用バッテリーケース（図示せず）がジャック５０９に接続される場合、ジャック５０９から突出しているノブ５１３は内側に押し込まれる。それによって、ノブ５１３がレバー５２３を下方に押すと、レバー５２３は、時計回りに回転して反対側に位置するカム５４１を押すようになる。したがって、カム５４１と一体に形成されたスライド５３９は、Ａ方向に移動する。
【００４７】
磁石５３３と一体形成されたコア５３１は、Ａ方向に移動したスライド５３９を磁力によって引きよせる。コア５３１がスライド５３９と接触する場合、カム５４１と一体形成され、絶縁物質で構成されたストローク５３５は、Ａ方向に移動して第１の接点５２７と第２の接点５２９とを接触させる。図９に示すように、第１の接点５２７と第２の接点５２９とが接触すると、交流電流は、携帯電話充電装置に供給される。
【００４８】
図１０は、携帯電話が携帯電話充電装置に接続されて完全に充電された状態での待機電力遮断部の構成を示す。
【００４９】
図１０を参照すると、携帯電話が完全に充電されて携帯電話充電装置内を流れる電流が基準電流以下である場合に、充電部プリント回路基板５０３のマイコンＵ１（又は制御部）は、これを感知し、待機電力遮断部内のソレノイドコイル端子５２６へ電力を供給する。ソレノイドコイル端子５２６に電力を供給すると、ソレノイドは電磁石となり、磁石５３３との斥力が発生する。したがって、コア５３１に接触しているスライド５３９は、磁石５３３との反発力と共にカムバネ５３７によってＢ方向に移動する。スライドと一体形成されたカム５４１も元の方向であるＢ方向に移動し、これによってストローク５３５は元の位置に戻る。
【００５０】
ストローク５３５が元の位置に戻ると、第１の接点５２７が第２の接点５２９と分離され、それによって携帯電話充電装置を流れる交流電流が遮断される。したがって、本発明による携帯電話充電装置は、携帯電話が完全に充電された場合、携帯電話を充電装置から分離しなくても充電装置の内部で消費される待機電力を効率的に遮断することができる。
【００５１】
一方、カム５４１に備えられている充電表示部５１９は、携帯電話の充電が完了したことをユーザーに表示することができる。
【００５２】
図１１は、携帯電話充電装置と携帯電話とを分離する場合の待機電力遮断部の構成を示す。
【００５３】
図１１を参照すると、携帯電話又は充電用バッテリーケースがジャック５０９から分離される場合、ノブ５１３は、ノブバネ５２１によってＣ方向に移動する。このとき、ノブ５１３は、レバーを上方に押し上げて反時計方向に移動させる。このレバーの反対側は、下方に移動してカム５４１と接触せずに図７の状態に戻る。
【００５４】
携帯電話が完全に充電された後に携帯電話充電装置から分離される場合には、上述したように待機電力が遮断された状態、すなわち待機電力遮断部によって交流電流の供給が遮断される状態となる。
【００５５】
しかしながら、携帯電話が充電途中で携帯電話充電装置から分離される場合が発生する可能性がある。このような場合の携帯電話充電装置の動作について、次に説明する。
【００５６】
携帯電話が充電中である状態で充電装置から分離される場合、充電装置の内部に流れる電流は基準電流以下となる。このとき、充電部プリント回路基板５０３のマイコンＵ１（又は制御部）は、これを感知して待機電力遮断部のソレノイドコイル端子５２６に電力を供給する。ソレノイドコイル端子５２６は、電力が供給されると電磁石となり、磁石５３３との斥力を発生する。したがって、コア５３１に接触しているスライド５３９は、磁石５３３との反発力と共にカムバネ５３７によってＢ方向に移動する。スライドと一体に形成されたカム５４１は元の方向であるＢ方向に移動することによって、ストローク５３５も元の位置に戻る。
【００５７】
ストローク５３５が元の位置に戻ると、第１の接点５２７は第２の接点５２９と分離され、それによって携帯電話充電装置内を流れる交流電流を遮断する。
【００５８】
したがって、本発明の望ましい実施形態では、完全に充電された携帯電話が接続されている状態又は充電中である状態の携帯電話が分離される場合に自動的に待機電力を遮断できる携帯電話充電装置を提供する。
【００５９】
図１２は、本発明の他の実施形態による携帯電話充電装置の内部回路を示す。図１２を参照して、本発明による携帯電話充電装置の電気的動作を詳細に説明する。
【００６０】
充電部プリント回路基板５０３は、ジャックプリント回路基板５１１に電気的に接続され、整流部と制御部とを含む。充電部プリント回路基板５０３では、制御部として、例えばマイコンＵ１を使用することができる。
【００６１】
整流部は、整流ブリッジＢＲ１とキャパシタＣ１とで構成され、携帯電話充電装置のコンセントを通じて供給される交流電流を直流電流に整流する役割を遂行する。
【００６２】
整流部を通過した直流電流は、変圧器Ｔ１に供給される。このとき、マイコンＵ１は、トランジスタＱ２のターンオン周期を制御して変圧器Ｔ１の２次電圧を制御する。変圧器Ｔ１により誘導される２次電圧は、ダイオードＤ１とキャパシタＣ２とで構成された整流部及び平滑部を通じて充電用電圧に整流及び平滑化される。
【００６３】
整流部及び平滑部を通過した充電用電圧は、＋端子と−端子を通じてジャックプリント回路基板５１１に供給される。ジャックプリント回路基板に供給された充電用電圧は、携帯電話３００の充電用端子に供給される。
【００６４】
携帯電話バッテリーが充電中である場合、マイコンＵ１は、出力ポートＯ１を‘ハイ’にしてジャックプリント回路基板５１１のＬＥＤ１を点灯して充電中であることを表示する。
【００６５】
また、マイコンＵ１は、充電状態と充電電圧を制御するために抵抗Ｒ１と抵抗Ｒ２とに分圧される電圧をアナログ／デジタルコンバータＡＤで測定する。マイコンＵ１は、アナログ／デジタルコンバータで測定された電圧を用いてトランジスタＱ２のターンオン周期を制御することによって充電電圧を制御する。
【００６６】
携帯電話バッテリーの充電が完了すると、マイコンＵ２は、出力ポートＯ１を‘ロウ’として出力し、出力ポートＯ２を‘ハイ’として出力してトランジスタＱ１をターンオンさせる。トランジスタＱ１がターンオンされると、待機電力遮断部内のソレノイド端子へ電力が供給される。すなわち、電流は、トランジスタＱ１のコレクタから待機電力遮断部５１５のソレノイド端子５２６を通じて＋端子に流れる。このソレノイド端子５２６に電流が流れると、ソレノイドは磁場を発生する。ソレノイドは、発生した磁場によって磁石５３３を押し出す。図１０に示すように、カム５４１は、この磁場による反発力とカムバネ５３７とによりB方向に戻る。
【００６７】
スライドと一体形成されたカム５４１が元の方向であるＢ方向に移動することによってストローク５３５も元の位置に戻る。ストローク５３５が元の位置に戻ることによって、第１の接点５２７は第２の接点５２９から分離される。したがって、携帯電話充電装置内を流れる交流電流が遮断される。
【００６８】
一方、カム５４１に備えられている充電表示部５１９は、携帯電話の充電が完了したことをユーザーに表示することができる。このとき、充電表示部５１９は、カム５４１の位置に従って携帯電話バッテリーが完全に充電されたか否かを表示することができる。
【００６９】
したがって、本発明は、完全に充電された携帯電話を携帯電話充電装置から分離せずに、携帯電話充電装置で消費される待機電力を効率的に遮断するための装置を提供する。
【００７０】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【００７１】
すなわち、上述した本発明の詳細な説明では、携帯電話充電装置から待機電力を効率的に除去するための実現例を示す。しかしながら、本発明は、類似した技術的背景及び他の充電装置などにも本発明の範囲を逸脱しない限り適用可能である。したがって、本発明は、当該技術分野で熟練した技術的知識を持つ者には判断可能なものである。
【符号の説明】
【００７２】
１００，２００，５００  携帯電話充電装置
１０７，２０９，５０９  ジャック
５１５  待機電力遮断部
５１３  ノブスイッチ
５３１  コア
５２３  レバー
５２５  レバーバネ
５３５  ストローク
５３７  カムバネ
５３９  スライド
５４１  カム
【図１】
0005367096.tif 000002
【図２】
0005367096.tif 000003
【図３】
0005367096.tif 000004
【図４】
0005367096.tif 000005
【図５】
0005367096.tif 000006
【図６】
0005367096.tif 000007
【図７】
0005367096.tif 000008
【図８】
0005367096.tif 000009
【図９】
0005367096.tif 000010
【図１０】
0005367096.tif 000011
【図１１】
0005367096.tif 000012
【図１２】
0005367096.tif 000013